(57)【特許請求の範囲】
【請求項１】
ベースプレートと、
該ベースプレート上に設けられた打面を構成するパッドと、
該パッドが打撃されたことを検出する前記ベースプレートの裏面に配設されているパッドセンサと、
前記ベースプレート上の周縁部に設けられたリムと、
該リムが打撃されたことを検出する前記ベースプレート上に設けられたリムセンサと、
前記ベースプレートが支持される支持フレームとを備え、
前記ベースプレートは前記支持フレームに、振動吸収部材を介して支持されていることを特徴とする電子打楽器。
【請求項２】
前記リムは、リム下部とリム上部との積層構造とされており、該リム下部と該リム上部との間に前記リムセンサが配設されていることを特徴とする請求項１記載の電子打楽器。
【請求項３】
ベースプレートと、
該ベースプレート上に設けられた打面を構成するパッドと、
前記ベースプレート上の周縁部に設けられたリムと、
前記ベースプレートと前記パッドおよび前記リムとの間に配設されて、前記パッドおよび前記リムが打撃されたことを検出するセンサと、
前記ベースプレートが支持される支持フレームとを備え、
前記ベースプレートは前記支持フレームに、振動吸収部材を介して支持されていることを特徴とする電子打楽器。
【発明の詳細な説明】
【技術分野】
【０００１】
この発明は、パッドおよびリムの打撃による振動を検出し、その検出信号に基づいて楽音を発生する電子ドラム等の電子打楽器に関する。
【背景技術】
【０００２】
従来の電子打楽器の一つとされる電子ドラムにおいては、パッドの打面やリムを叩いた際に生じる振動を、パッドの下方に配設したセンサで検出し、その出力信号をトリガとして楽音の発音を指示してドラム音を発生するようにしている。従来の電子ドラム（特許文献１参照）は、硬質なゴムにより構成されている底の浅い皿の形をした本体と、本体の底部に鉄板によって構成されたベースプレートとを備え、本体とベースプレートは、ベースによって支持されている。打面とされるパッドラバーの内部に埋め込まれてパッドプレートは、ドーナツ状のクッション材を介してベースプレートによって支持されている。パッドプレートの裏面には、パッド用センサが固着されている。本体の周辺部内側には、リムプレートが埋め込まれており、リムプレートの内周にはリム用センサが固着されている。このように構成された電子ドラムにおいて、演奏者がパッドラバーを打撃すると、パッドプレートが振動してその振動がパッド用センサにより検出される。また、演奏者がリムショットを行う場合は、演奏者がリムを打撃することによりリムプレートが振動して、リム用センサによりその振動が検出される。ここで、パッドプレートはリムと直接接触しておらずパッドラバーを介して接触しており、パッドラバーはリムのゴムに比べて軟質なゴムから構成されるためリムからの振動を減衰させる。従ってリムプレートの振動はパッド用センサには伝わらない。パッド用センサおよびリム用センサは各々振動を電気信号として検出し、電気信号は電気回路を経てアンプ、スピーカ等によって電気的に増幅されて楽音として発音される。
【特許文献１】特開平６−１７５６５１号公報
【発明の開示】
【発明が解決しようとする課題】
【０００３】
しかしながら、従来の電子ドラムにおいては、床等からベースに外乱となる振動が伝わった際にクッション材により振動を吸収してパッドプレートには振動が伝わらないようになる。しかしながら、リムは本体と一体とされており、ベースには直接本体が支持されていることから、ベースに外乱となる振動が伝わった際に、その振動が本体およびリムに伝わりリムに設けられているリム用センサが振動を検出してしまうという問題点があった。
【０００４】
そこで、本発明は、支持フレームに外乱となる振動が伝わっても、打撃を検出するセンサがその振動を検知しないようにした電子打楽器を提供することを目的としている。
【課題を解決するための手段】
【０００５】
上記目的を達成するために、本発明の電子打楽器は、ベースプレートにパッドセンサとリムセンサとが設けられており、ベースプレートが振動吸収部材を介して支持フレームに支持されていることを最も主要な特徴としている。
【発明の効果】
【０００６】
本発明によれば、ベースプレートにパッドセンサとリムセンサとが設けられており、ベースプレートが振動吸収部材を介して支持フレームに支持されていることから、床等から支持フレームに外乱となる振動が伝わった際に、この振動が振動吸収部材で吸収されるようになり、センサは支持フレームに伝えられた振動を検知しないようになる。この結果、センサの感度を向上しても雑音が出力されることを防止することができ、ダイナミックレンジを向上することができるようになる。
【発明を実施するための最良の形態】
【０００７】
本発明の電子打楽器の第１実施例にかかる電子ドラムの構成を示す平面図を図１に、電子ドラムの構成を断面図で示す側面図を図２に、電子ドラムの構成を示す下面図を図３に、電子ドラムの構成を断面図で示す側面図を一部拡大して図４に示す。
これらの図に示す第１実施例の電子ドラム１においては、発泡性樹脂等により形成されている演奏者が叩く打面となるパッド１０が、鉄等の平板状のベースプレート１２の表面に固着されている。ベースプレート１２は円形とされており、ベースプレート１２上に設けられるパッド１０も若干径が小さくされた断面円形とされている。ベースプレート１２の裏面のほぼ中央にはパッド１０が打撃されたことを検出するピエゾ型圧電センサ等からなるパッドセンサ１３が設けられている。また、ベースプレート１２の表面における周縁には円筒状のリム１１が、リムセンサ１４を介して固着されている。リム１１は円筒状の形状とされその内部にパッド１０が収納されるようになり、リム１１は金属製等とされる。さらに、リムセンサ１４の形状は、リム１１の下面の形状と略同じリング状とされ、電極が形成された樹脂フィルムを貼り合わせて形成された静電型の圧力センサ等から構成されている。
【０００８】
また、ベースプレート１２の下面の外周側に複数の振動吸収部材１６の一面が取り付けられており、この振動吸収部材１６の他面は支持フレームとされる筐体１５の表面に固着されている。振動吸収部材１６は、例えば図示するように矩形状とされ６個の振動吸収部材１６が略６０°毎の間隔でベースプレート１２の下面に取り付けられているが、この数に限るものではなく少なくとも３個以上が取り付けられていればよい。筐体１５は金属製あるいは木製とされる支持フレームであり、振動吸収部材１６は、シリコンスポンジ等とされる。この場合、振動吸収部材１６の数が多くなるに応じて振動吸収部材１６の硬度が小さくされる。また、振動吸収部材１６の形状を円形や多角形としたり、リング状に形成してもよい。
【０００９】
このように構成された第１実施例の電子ドラム１において、演奏者がパッド１０の打面をスティック等で叩くと、パッド１０が打撃により振動してパッドセンサ１３に打撃力に応じた振動が印加される。この結果、パッドセンサ１３からは、打撃力に応じた打撃センシング信号が出力される。また、演奏者がリムショットを行う場合は、演奏者がリム１１を打撃することによりリム１１が振動して、リムセンサ１４によりその振動が検出される。そして、パッドセンサ１３およびリムセンサ１４から出力される打撃センシング信号をトリガとして、楽音の発音が指示されてドラムやリムショットの楽音が発生されるようになされている。
【００１０】
ところで、床を通じて支持フレームとされる筐体１５に振動が伝わることがある。特に、ドラムセットの場合には他のドラムを叩いた際の振動が床を通じて筐体１５に伝わるようになる。しかし、第１実施例の電子ドラム１においては、パッドセンサ１３およびリムセンサ１４が設けられているベースプレート１２と筐体１５との間に振動吸収部材１６が設けられていることから、筐体１５に伝わった振動が振動吸収部材１６によりその振動が吸収されてベースプレート１２には伝わらないようになる。このため、外乱に強い電子ドラム１とすることができることから、パッドセンサ１３およびリムセンサ１４の感度を上げることができるようになり、ダイナミックレンジを向上することができるようになる。
【００１１】
本発明の電子打楽器の第２実施例にかかる電子ドラムの構成を示す平面図を図５に、電子ドラムの構成を断面図で示す側面図を図６に、電子ドラムの構成を示す下面図を図７に、電子ドラムの構成を断面図で示す側面図を一部拡大して図８に示す。
これらの図に示す第２実施例の電子ドラム２においては、発泡性樹脂等により形成されている演奏者が叩く打面となるパッド２０が、膜状のセンサ２３を介して、鉄等の平板状のベースプレート２２の表面に固着されている。ベースプレート２２は円形とされており、ベースプレート２２上に設けられるパッド２０も若干径が小さくされた断面円形とされている。ベースプレート２２のほぼ全面に設けられている円形とされているセンサ２３は、電極が形成された樹脂フィルムを貼り合わせて形成された静電型の圧力センサ等から構成されている。また、ベースプレート２２の表面における周縁には円筒状のリム２１が、センサ２３を介して固着されている。リム２１は円筒状の形状とされその内部にパッド２０が収納されるようになり、リム２１は金属製等とされる。センサ２３は、パッド２０およびリム２１の打撃を共通に検出するセンサとされる。
【００１２】
また、ベースプレート２２の裏面には複数の振動吸収部材２６の一面が固着されている。さらに、円筒状の形状とされている支持フレームとされる筐体２５の内周面には複数のＬ型金具２７が取り付けられており、Ｌ型金具２７の上面に振動吸収部材２６の他面が固着されている。すなわち、振動吸収部材２６はベースプレート２２と筐体２５との間にＬ型金具２７を介して配設されている。Ｌ型金具２７の数、すなわち、振動吸収部材２６の数は、図示する場合は、６個の振動吸収部材２６が略６０°毎の間隔でベースプレート２２の裏面に設けられているが、この数に限るものではなく少なくとも３個以上が設けられていればよい。これにより、ベースプレート２２は、振動吸収部材２６を介して筐体２５に支持されるようになる。振動吸収部材２６は、シリコンスポンジ等とされる。この場合、ベースプレート２２の裏面に設けられる振動吸収部材２６の数が多くなるに応じて振動吸収部材２６の硬度を小さくする。また、振動吸収部材２６の形状は直方体状とされているが、断面円形や断面多角形の棒状とすることができる。
【００１３】
このように構成された第２実施例の電子ドラム２において、演奏者がパッド２０の打面をスティック等で叩くと、パッド２０が打撃により凹んでセンサ２３に打撃力に応じた圧力が印加される。この結果、センサ２３からは、パッド２０の打撃力に応じた打撃センシング信号が出力される。また、演奏者がリムショットを行う場合は、演奏者がリム２１を打撃することによりリム２１が振動して、センサ２３によりその振動が検出される。この場合、センサ２３からは打撃や振動が検出された位置に応じた打撃センシング信号が出力され、位置に応じた打撃センシング信号からパッド２０が叩かれたのかリム２１が叩かれたのかを検出することができる。そして、センサ２３から出力されるパッド２０およびリム２１の打撃センシング信号をトリガとして、楽音の発音が指示されてドラムやリムショットの楽音が発生されるようになされている。
【００１４】
ところで、床を通じて支持フレームとされる筐体２５に振動が伝わることがある。特に、ドラムセットの場合には他のドラムを叩いた際の振動が床を通じて筐体２５に伝わるようになる。しかし、第２実施例の電子ドラム２においては、ベースプレート２２と筐体２５との間には複数の振動吸収部材２６がＬ型金具２７を介して設けられていることから、筐体２５に伝わった振動は振動吸収部材２６により吸収されてベースプレート２２には伝わらないようになる。このため、外乱に強い電子ドラム２とすることができることから、センサ２３の感度を上げることができるようになり、ダイナミックレンジを向上することができるようになる。
【００１５】
本発明の電子打楽器の第３実施例にかかる電子ドラムの構成を示す平面図を図９に、電子ドラムの構成を断面図で示す側面図を図１０に、電子ドラムの構成を示す下面図を図１１に、電子ドラムの構成を断面図で示す側面図を一部拡大して図１２に示す。
これらの図に示す第３実施例の電子ドラム３においては、発泡性樹脂等により形成されている演奏者が叩く打面となるパッド３０が、鉄等のベースプレート３２の表面に固着されている。ベースプレート３２は周縁部を残して断面円形の凹部が形成されており、この凹部の底面は平面状とされ底面にパッド３０が固着されて、パッド３０は凹部内に収納されるようになる。パッド３０は上記凹部の内径よりも若干径が小さくされた断面円形とされている。ベースプレート３２の裏面のほぼ中央にはパッド３０が打撃されたことを検出するピエゾ型圧電センサ等からなるパッドセンサ３３が設けられている。また、ベースプレート３２の周縁部は屈曲されて立ち上がっており、リング状の平面とされた周縁にリム３１が固着されている。リム３１はリング状とされているリム上部３１ａと同じくリング状とされているリム下部３１ｂとを積層した構造とされ、リム上部３１ａとリム下部３１ｂとの間にリムセンサ３４が挟持されている。リム１１は金属製等とされる。さらに、リムセンサ３４の形状はリング状とされ、電極が形成された樹脂フィルムを貼り合わせて形成された静電型の圧力センサ等から構成されている。
【００１６】
また、ベースプレート３２に形成されている凹部の底面の裏側における外周側に複数の振動吸収部材３６の一面が取り付けられている。さらに、円筒状の形状とされている支持フレームとされる筐体３５の内周面には複数のＬ型金具３７が取り付けられており、Ｌ型金具３７の上面に振動吸収部材３６の他面が固着されている。すなわち、振動吸収部材３６はベースプレート３２と筐体３５との間にＬ型金具３７を介して配設されている。Ｌ型金具３７の数、すなわち、振動吸収部材３６の数は、図示する場合は、６個の振動吸収部材３６が略６０°毎の間隔でベースプレート３２の裏面に設けられているが、この数に限るものではなく少なくとも３個以上が設けられていればよい。これにより、ベースプレート３２は、振動吸収部材３６を介して筐体３５に支持されるようになる。振動吸収部材３６は、シリコンスポンジ等とされる。この場合、ベースプレート３２の裏面に設けられる振動吸収部材３６の数が多くなるに応じて振動吸収部材３６の硬度を小さくする。また、振動吸収部材３６の形状は直方体状とされているが、断面円形や断面多角形の棒状とすることができる。
【００１７】
このように構成された第３実施例の電子ドラム３において、演奏者がパッド３０の打面をスティック等で叩くと、パッド３０が打撃により振動してパッドセンサ３３に打撃力に応じた振動が印加される。この結果、パッドセンサ３３からは、打撃力に応じた打撃センシング信号が出力される。また、演奏者がリムショットを行う場合は、演奏者がリム３１を打撃することによりリム３１が振動して、リムセンサ３４によりその振動が検出される。そして、パッドセンサ３３およびリムセンサ３４から出力される打撃センシング信号をトリガとして、楽音の発音が指示されてドラムやリムショットの楽音が発生されるようになされている。
【００１８】
ところで、床を通じて支持フレームとされる筐体３５に振動が伝わることがある。特に、ドラムセットの場合には他のドラムを叩いた際の振動が床を通じて筐体３５に伝わるようになる。しかし、第３実施例の電子ドラム３においては、パッドセンサ３３およびリムセンサ３４が設けられているベースプレート３２と筐体３５との間にＬ型金具３７を介して振動吸収部材３６が設けられていることから、筐体３５に伝わった振動が振動吸収部材３６によりその振動が吸収されてベースプレート３２には伝わらないようになる。このため、外乱に強い電子ドラム１とすることができることから、パッドセンサ３３およびリムセンサ３４の感度を上げることができるようになり、ダイナミックレンジを向上することができるようになる。
【産業上の利用可能性】
【００１９】
以上の説明では電子ドラムについて説明したが本発明は電子ドラムに限るものではなく、シンバル等の電子打楽器にも適用することができる。また、本発明の電子打楽器にかかる電子ドラムはベースプレートは支持フレームとされる筐体に、振動吸収部材を介して層状に支持されており、複数の電子ドラムを備えるドラムセットにおける各電子ドラムに適用したり、一つの筐体に複数の電子ドラムを搭載するマルチパッドの電子ドラムに適用することができる。
なお、本発明の電子ドラムにおいて、床から筐体を介して高い周波数の振動がベースプレートに伝わる場合があるが、この場合には筐体を懸架する懸架構造の機械的フィルタで除去することができる。
【図面の簡単な説明】
【００２０】
【図１】本発明の第１実施例にかかる電子ドラムの構成を示す平面図である。
【図２】本発明の第１実施例にかかる電子ドラムの構成を断面図で示す側面図である。
【図３】本発明の第１実施例にかかる電子ドラムの構成を示す下面図である。
【図４】本発明の第１実施例にかかる電子ドラムの構成を断面図で示す側面図の一部拡大図である。
【図５】本発明の第２実施例にかかる電子ドラムの構成を示す平面図である。
【図６】本発明の第２実施例にかかる電子ドラムの構成を断面図で示す側面図である。
【図７】本発明の第２実施例にかかる電子ドラムの構成を示す下面図である。
【図８】本発明の第２実施例にかかる電子ドラムの構成を断面図で示す側面図の一部拡大図である。
【図９】本発明の第３実施例にかかる電子ドラムの構成を示す平面図である。
【図１０】本発明の第３実施例にかかる電子ドラムの構成を断面図で示す側面図である。
【図１１】本発明の第３実施例にかかる電子ドラムの構成を示す下面図である。
【図１２】本発明の第３実施例にかかる電子ドラムの構成を断面図で示す側面図の一部拡大図である。
【符号の説明】
【００２１】
１  電子ドラム、２  電子ドラム、３  電子ドラム、１０  パッド、１１  リム、１２  ベースプレート、１３  パッドセンサ、１４  リムセンサ、１５  筐体、１６  振動吸収部材、２０  パッド、２１  リム、２２  ベースプレート、２３  センサ、２５  筐体、２６  振動吸収部材、２７  Ｌ型金具、３０  パッド、３１  リム、３１ａ  リム上部、３１ｂ  リム下部、３２  ベースプレート、３３  パッドセンサ、３４  リムセンサ、３５  筐体、３６  振動吸収部材、３７  Ｌ型金具
【図１】
0005067214.tif 000002
【図２】
0005067214.tif 000003
【図３】
0005067214.tif 000004
【図４】
0005067214.tif 000005
【図５】
0005067214.tif 000006
【図６】
0005067214.tif 000007
【図７】
0005067214.tif 000008
【図８】
0005067214.tif 000009
【図９】
0005067214.tif 000010
【図１０】
0005067214.tif 000011
【図１１】
0005067214.tif 000012
【図１２】
0005067214.tif 000013